(57)【特許請求の範囲】
【請求項１】
所定間隔に複数のコンロ部を有するガスコンロであって、ガスコンロの全上面を構成する矩形状のトッププレートにフッ素コーティングを施し、このトッププレートの中央部を外周部よりも一段凹ませて形成し、コンロ部を設置する複数のコンロ設置部をトッププレートの中央部におけるトッププレートの外周部と所定間隔を隔てた位置にそれぞれ設け、これら複数のコンロ設置部を囲むようにトッププレートの外周部に亙って段部を形成し、この段部におけるトッププレートの周方向に間隔を隔てた複数箇所にねじ孔を穿設し、これらねじ孔にねじ具を螺着してねじ具の頭を段部の上面より上方に突出させてフッ素コーティングを施さない支持突部を形成し、支持突部を構成するねじ具の頭にその下端を直接載置させて五徳をトッププレート上に配設したことを特徴とするガスコンロ。
【請求項２】
所定間隔に複数のコンロ部を有するガスコンロであって、ガスコンロの全上面を構成する矩形状のトッププレートにフッ素コーティングを施し、このトッププレートの中央部を外周部よりも一段凹ませて形成し、コンロ部を設置する複数のコンロ設置部をトッププレートの中央部におけるトッププレートの外周部と所定間隔を隔てた位置にそれぞれ設け、これら複数のコンロ設置部を囲むようにトッププレートの外周部に亙って段部を形成し、この段部におけるトッププレートの周方向に間隔を隔てた複数箇所に通孔を穿孔し、この通孔にスペーサーを圧入してスペーサーの上面を段部の上面より上方に突出させてフッ素コーティングを施さない支持突部を形成し、支持突部を構成するスペーサーの上面にその下端を直接載置させて五徳をトッププレート上に配設したことを特徴とするガスコンロ。
【発明の詳細な説明】
【０００１】
【産業上の利用分野】
本発明は、トッププレート上に別体の五徳が載設されたガスコンロに関するものである。
【０００２】
【従来の技術】
従来、トッププレート１上に別体の五徳２が載設されるようになったガスコンロにおいては、図６に示されるようにトッププレート１に五徳２を載置するための載置段部１２が形成されており、この載置段部１２に五徳２の下端を直接載置するようにして五徳２がトッププレート１上に設置されるようになっている。ところで、近年、ガスコンロのトッププレート１にはフッ素コーティングが施されることがあり、フッ素コーティングによってトッププレート１上への汚れのこびりつき防止や清掃を行いやすいようにしている。
【０００３】
【発明が解決しようとする課題】
しかし、上述のような従来例にあっては、トッププレート１と五徳２とが直接に接している為、通常使用時に五徳２のガタや移動等によってトッププレート１に施されたフッ素コーティングの剥がれが発生するという問題があった。本発明は上記問題点の解決を目的とするものであり、フッ素コーティングが剥がれるようなことなくトッププレート上に五徳を設置することができるガスコンロを提供しようとするものである。
【０００４】
【課題を解決するための手段】
上記目的を達成するために、請求項１の発明では、所定間隔に複数のコンロ部１０を有するガスコンロであって、ガスコンロの全上面を構成する矩形状のトッププレート１にフッ素コーティングを施し、このトッププレート１の中央部を外周部よりも一段凹ませて形成し、コンロ部１０を設置する複数のコンロ設置部１１をトッププレート１の中央部におけるトッププレート１の外周部と所定間隔を隔てた位置にそれぞれ設け、これら複数のコンロ設置部１１を囲むようにトッププレート１の外周部に亙って段部１２を形成し、この段部１２におけるトッププレート１の周方向に間隔を隔てた複数箇所にねじ孔４を穿設し、これらねじ孔４にねじ具５を螺着してねじ具５の頭５ａを段部１２の上面より上方に突出させてフッ素コーティングを施さない支持突部３を形成し、支持突部３を構成するねじ具５の頭５ａにその下端を直接載置させて五徳２をトッププレート１上に配設したことを特徴とするものである。
【０００５】
請求項２の発明では、所定間隔に複数のコンロ部１０を有するガスコンロであって、ガスコンロの全上面を構成する矩形状のトッププレート１にフッ素コーティングを施し、このトッププレート１の中央部を外周部よりも一段凹ませて形成し、コンロ部１０を設置する複数のコンロ設置部１１をトッププレート１の中央部におけるトッププレート１の外周部と所定間隔を隔てた位置にそれぞれ設け、これら複数のコンロ設置部１１を囲むようにトッププレート１の外周部に亙って段部１２を形成し、この段部１２におけるトッププレート１の周方向に間隔を隔てた複数箇所に通孔６を穿孔し、この通孔６にスペーサー７を圧入してスペーサー７の上面を段部１２の上面より上方に突出させてフッ素コーティングを施さない支持突部３を形成し、支持突部３を構成するスペーサー７の上面にその下端を直接載置させて五徳２をトッププレート１上に配設したことを特徴とするものである。
【０００６】
【作用】
請求項１の発明によれば、トッププレート１より突設された支持突部３に五徳２の下端を載置することでトッププレート１の上面に施されたフッ素コーティングと五徳２とが直接に接しないようにトッププレート１上に五徳２を設置することができる。しかも、トッププレート１に設けられたねじ孔４にねじ具５を螺着することでトッププレート１に支持突部３を設けることができる。
【０００７】
請求項２の発明によれば、トッププレート１より突設された支持突部３に五徳２の下端を載置することでトッププレート１の上面に施されたフッ素コーティングと五徳２とが直接に接しないようにトッププレート１上に五徳２を設置することができる。しかも、トッププレート１に設けられた通孔６にスペーサー７を圧入するだけの作業で工具を用いるようなことなくトッププレート１に支持突部３を設けることができる。
【０００８】
【実施例】
本発明におけるガスコンロはキッチンキャビネットの天板８に設けられた開口部９に埋め込むようにして設置されるビルトインタイプのものであり、図３に示されるようにコンロ部１０が設置されることとなるトッププレート１の上に別体となった五徳２を設置して主体が構成されている。
【０００９】
図１、図２に示されるように薄板材にて形成されるトッププレート１の外周部は中央部よりも上方に突出した状態となっており、外周部より一段凹んだ中央部にはコンロ部１０が設置されることとなるコンロ設置部１１が形成されている。このトッププレート１の上面にはほぼ全面にわたってフッ素コーティングが施されており、フッ素コーティングによってトッププレート１上面への汚れのこびりつきを防止すると共に清掃を行いやすいようになっている。コンロ設置部１１より上方に突出するトッププレート１の外周部とコンロ設置部１１との間にはコンロ設置部１１を囲むように段部１２が形成されており、この段部１２に五徳２の下部を載置してコンロ部１０の上方に五徳２が設置されるようになっている。
【００１０】
五徳２は環状の脚部２ａより支持アーム２ｂを一体に突設して主体が構成されている。段部１２の上面に突出するように段部１２からはフッ素コーティングが施されていない支持突部３が突設されており、五徳２は図１に示されるように下端となる脚部２ａの下端を支持突部３上に載置するようにして設置されている。つまり、支持突部３上に下端を載置することで五徳２の下端とフッ素コーティングが施されたトッププレート１の上面とが直接に接しないように五徳２が設置されている。ここで、支持突部３は別体の部品を段部１２上に設置するようにしてあり、要は段部１２の上面より上方に突出するように段部１２に設けてある。
【００１１】
以上は、本発明を説明する上での背景事項である。本発明は上記支持突部３に特徴を有しており、以下に本発明を詳述する。
【００１２】
図４は支持突部３の第１実施例を示しており、このものにあっては、段部１２に穿設されたねじ孔４にねじ具５を螺着し、段部１２の上面より上方に突出するねじ具５の頭５ａによって支持突部３が形成されている。ねじ具５の取付けはドライバーのような工具によってねじ孔４に螺合することで取付けられるものであり、所定位置に手間取ることなく簡易に取付けることができるようになっており、組み立て作業性が高いものとなっている。ここで、ねじ具５を金属製としてあると支持突部３の強度を高いものとすることができ、耐磨耗性に優れて耐久性が高いものとなると共に耐熱性も確保することができる。また、ねじ具５を耐熱性樹脂によって形成してあると支持突部３の防錆性を高いものとすることができると共に制作時に頭５ａの形状を種々設計変更することができるものである。
【００１３】
図５は支持突部３の第２実施例を示しており、このものにあっては、段部１２に穿設された通孔６にスペーサー７を圧入し、段部１２の上面より突出するスペーサー７の上部によって支持突部３が形成されている。このスペーサー７の取付けはトッププレート１の上面側より通孔６に差し込むようにすることで行うことができるようになっており、ドライバー等の工具を用いることなく手作業で所定位置に取付けることができ、組み立て作業性が高いものとなっている。通孔６に圧入されたスペーサー７は必要によって瞬間接着剤等の接着剤によって通孔６に固定される。ここで、スペーサー７を耐熱性樹脂によって形成してあると防錆性が高いものとすることができると共に制作時にスペーサー７の形状を種々設計変更することができるものである。また、スペーサー７を金属製としてあると支持突部３の強度を高いものとすることができ、耐磨耗性に優れて耐久性が高いものとなると共に耐熱性も確保することができるものである。
【００１４】
上述した実施例にあっては、支持突部３はビルトインタイプのガスコンロに採用する場合について詳述したが、テーブルガスコンロのようなものに採用するようにしても何ら問題はないものである。
【００１５】
【発明の効果】
請求項１の発明は、トッププレートのねじ孔に螺着されたねじ具の頭によって支持突部を形成してあり、この支持突部に五徳の下端を載置してあるので、トッププレートの上面に施されたフッ素コーティングと五徳とが直接に接しないようにすることができ、フッ素コーティングが剥がれるようなことなくトッププレート上に五徳を設置することができるものであり、さらに、ねじ孔にねじ具を螺着することで所定位置に支持突部を形成することができ、組み立て作業性を向上させることができるものである。
【００１６】
請求項２記載の発明は、トッププレートの通孔に圧入されたスペーサーによって支持突部を形成してあり、この支持突部に五徳の下端を載置してあるので、トッププレートの上面に施されたフッ素コーティングと五徳とが直接に接しないようにすることができ、フッ素コーティングが剥がれるようなことなくトッププレート上に五徳を設置することができるものであり、さらに、通孔にスペーサーを圧入するだけの作業でドライバー等の工具を用いたりするようなことなく手作業で所定位置に支持突部を形成することができ、組み立て作業性を向上させることができるものである。
【図面の簡単な説明】
【図１】  本発明の背景を説明する部分断面図である。
【図２】  支持突部の設置状態の一例を示す部分平面図である。
【図３】  五徳の設置状態の一例を示す部分平面図である。
【図４】  本発明の第１実施例を示す部分断面図である。
【図５】  本発明の第２実施例を示す部分断面図である。
【図６】  従来例を示す部分断面図である。
【符号の説明】
１ トッププレート
２ 五徳
３ 支持突部
４ ねじ孔
５ ねじ具
５ａ 頭
６ 通孔
７ スペーサー
【図１】
0003662601.tif 000002
【図２】
0003662601.tif 000003
【図３】
0003662601.tif 000004
【図４】
0003662601.tif 000005
【図５】
0003662601.tif 000006
【図６】
0003662601.tif 000007